(57)【要約】      （修正有）【課題】注出される飲料物のカロリーを計量可能な飲料供給装置を提供する。【解決手段】本発明に係る飲料供給装置１０は、飲料が補給される容器と、容器に補給された補充飲料の種類を入力する入力手段４と、飲料の種類毎に内容量あたりのカロリー量を記憶した記憶手段と、補充飲料の種類に対応する内容量あたりのカロリー量と、容器の容量とに基づいて、補充飲料の内容量に応じたカロリー量を表示する第１表示手段とを有し、第１表示手段５は、容器内に補充された補充飲料を、容器外から視認可能に透過させる。【選択図】図１
2020083383.tif 000002
【特許請求の範囲】
【請求項１】
飲料が補給される容器と、
前記容器に補給された補充飲料の種類を入力する入力手段と、
飲料の種類毎に内容量あたりのカロリー量を記憶した記憶手段と、
前記補充飲料の種類に対応する前記内容量あたりのカロリー量と、前記容器の容量とに基づいて、前記補充飲料の内容量に応じたカロリー量を表示する第１表示手段とを有し、
前記第１表示手段は、前記容器内に補充された補充飲料を、前記容器外から視認可能に透過させること、
を特徴とする請求項１に記載の飲料供給装置。
【請求項２】
前記第１表示手段は、前記補充飲料の内容量に応じたカロリー量を示す目盛り及びカロリー値を表示すること、
を特徴とする請求項２に記載の飲料供給装置。
【請求項３】
前記容器に補給された前記補充飲料の内容量を検知する検知手段と、
前記補充飲料の種類に対応する前記内容量あたりのカロリー量と、前記検知手段により検知された前記補充飲料の内容量とに基づいて、前記補充飲料の総カロリー量を算出する制御手段と、
前記補充飲料の総カロリー量を表示する第２表示手段と、
を有することを特徴とする請求項１又は２に記載の飲料供給装置。
【請求項４】
前記制御手段は、前記検知手段により検知された前記補充飲料の内容量が変化した場合、変化前の前記補充飲料の総カロリー量と、変化後の前記補充飲料の総カロリー量との差分値を算出し、
前記第２表示手段は、前記差分値を表示すること、
を特徴とする請求項３に記載の飲料供給装置。
【請求項５】
補充飲料が注出される注出口と、
前記注出口を開閉する駆動手段とを有し、
前記制御手段は、前記入力手段により前記注出口から注出される補充飲料のカロリー量が入力され、前記差分値が該カロリー量となった場合、前記注出口を閉じる制御を実行すること、
を特徴とする請求項４に記載の飲料供給装置。
【発明の詳細な説明】
【技術分野】
【０００１】
本発明は、飲料供給装置に関する。
【背景技術】
【０００２】
従来、市販食品・飲料の包装パッケージにおいては、食品であればグラム（ｇ）、飲料であればミリリットル（ｍｌ）などの単位により、その内容量が表示されている。また包装パッケージには、含有される総カロリー（ｃａｌ）が表示されているものも多い。
【０００３】
ここで、糖尿病患者やダイエッターなど、カロリー制限を行っている者（以下、カロリー制限者という）にとって、食品や飲料を摂取する際、内容量よりもむしろどの位のカロリー（ｃａｌ）を摂取したかが重要である。
【０００４】
これに関する技術として、食品・飲料の包装紙や容器において、所定の内容量毎にカロリー表示目盛りが付いているものが知られている（例えば、特許文献１、２参照）。これによれば、カロリー制限者は、摂取途中においても今どの位のカロリー量を摂取したかを容易に把握することが可能である。
【先行技術文献】
【特許文献】
【０００５】
【特許文献１】特開２００１−４８２６６号公報
【発明の概要】
【発明が解決しようとする課題】
【０００６】
しかしながら、上記特許文献１に記載される発明の場合、市販食品・飲料の容器又は包装パッケージゆえに所定内容量毎にカロリー表示目盛りを付けることが可能であるが、レストラン等で用いられるドリンクサーバーやドリンクボトルの場合、飲料の種類が不特定のため、所定内容量毎にカロリー表示目盛りを付けることができないという問題がある。
【０００７】
例えば、ビュフェ形式のレストラン等において、カロリー制限者が自ら飲料をコップに注ぐ場合、ドリンクサーバーやドリンクボトルのミリリットル（ｍｌ）目盛りを見れば、コップに注がれた内容量（ｍｌ）を計ることは可能なものの、そのカロリー量（ｃａｌ）については計ることができない。
【０００８】
本発明は、上記の点に鑑み提案されたものであり、一つの側面では、注出される飲料物のカロリーを計量可能な飲料供給装置を提供することを目的とする。
【課題を解決するための手段】
【０００９】
上記の課題を解決するため、本発明に係る飲料供給装置は、飲料が補給される容器と、前記容器に補給された補充飲料の種類を入力する入力手段と、飲料の種類毎に内容量あたりのカロリー量を記憶した記憶手段と、前記補充飲料の種類に対応する前記内容量あたりのカロリー量と、前記容器の容量とに基づいて、前記補充飲料の内容量に応じたカロリー量を表示する第１表示手段とを有し、前記第１表示手段は、前記容器内に補充された補充飲料を、前記容器外から視認可能に透過させる。
【発明の効果】
【００１０】
本発明の実施形態によれば、注出される飲料物のカロリーを計量可能な飲料供給装置を提供することができる。
【図面の簡単な説明】
【００１１】
【図１】本実施形態に係るドリンクサーバーの外観図を示す。
【図２】本実施形態に係るドリンクサーバーの機能ブロック図を示す。
【図３】本実施形態に係る飲料の種類毎のカロリー量情報の一例を示す。
【図４】本実施形態に係る表示パネルの表示例を示す。
【図５】本実施形態に係る表示パネル及び透過型ディスプレイ５の表示例１を示す
【図６】本実施形態に係る注出ｃａｌ量の入力指定部の入力指定例を示す。
【図７】本実施形態に係る表示パネル及び透過型ディスプレイ５の表示例２を示す。
【図８】電子カロリー目盛りの表示処理を説明するフローチャートを示す。
【発明を実施するための形態】
【００１２】
本発明の実施形態について、図面を参照しつつ詳細に説明する。
【００１３】
（構成）
図１は、本実施形態に係るドリンクサーバーの外観図を示す。図１に示されるように、本実施形態に係るドリンクサーバー（飲料供給装置）１０は、タンク１、補給口２、蛇口３、表示パネル４、透過型ディスプレイ５、計量センサー６、制御装置７（非図示）、コンセントを含む電源装置８（非図示）を有する。
【００１４】
タンク１は、ドリンクサーバー１０内部に飲料を格納するための容器である。
【００１５】
補給口２は、ドリンクサーバー１０内のタンク１に飲料を補給・補充するための口である。レストランのスタッフ等によりドリンクサーバー１０のタンク１内に飲料が補給・補充される。
【００１６】
蛇口３は、ドリンクサーバー１０内の飲料をコップ等に注ぐための飲料注出口である。利用者が蛇口３を捻る等の開閉操作を行うことで、タンク１内の飲料がコップ等に注出される。また蛇口３はアクチュエータ等による開閉駆動により自動注出停止機能を有している。
【００１７】
表示パネル４は、レストランのスタッフ等がドリンクサーバー１０のタンク１内に補給した「飲料の種類」を入力するなど、各種設定を行うためのタッチパネル式ディスプレイである。「飲料の種類」は、補給された「飲料の種類」に応じて、例えば、ＭＩＬＫ（牛乳）、ＣＯＦＦＥＥ（コーヒー）、ＴＥＡ（紅茶）等々の中から選択入力することができる。これにより「飲料の種類」に応じて内容量（ｍｌ）あたりのカロリー量（ｃａｌ）を算出可能となる。
【００１８】
透過型ディスプレイ５は、透過性素材により構成され、例えばガラスのようにタンク１内の中身（飲料）が透けて見える視認可能なディスプレイである。このため利用者はタンク１内の内容量（飲料量）を外部から視認することが可能である。また透過型ディスプレイ５は、制御装置７の制御の下、「飲料の種類」に応じた「カロリー表示目盛り」及び「目盛り毎のカロリー値」を電子的に表示する。
【００１９】
計量センサー６は、ドリンクサーバー１０のタンク１内に補給された飲料の内容量（ｍｌ）を検知するためのセンサーである。内容量の情報（検知信号）は制御装置７に送信される。
【００２０】
制御装置７は、ドリンクサーバー１０に内蔵されており、蛇口３（自動注出停止機能）、表示パネル４、透過型ディスプレイ５、計量センサー６を制御する。また制御装置７は、非図示のシステムメモリ（不揮発性記憶装置）を備えており、システムメモリには「飲料の種類」毎に、飲料の内容量あたりのカロリー量（例えば飲料１００ｍｌあたりのカロリー量）の情報が予め既知情報として格納されている。なお、利用者が新たな「飲料の種類」の内容量あたりのカロリー量の情報を更に追加・登録することも可能である。
【００２１】
電源装置８は、電子デバイス・コンピューターの動作に必要な電力を供給する装置である。具体的には表示パネル４、透過型ディスプレイ５、計量センサー６、制御装置７に必要な電力を供給する。
【００２２】
図２は、本実施形態に係るドリンクサーバーの機能ブロック図を示す。図２に示されるように、本実施形態に係るドリンクサーバー１０は、入力部１１、第１表示部１２、記憶部１３、検知部１４、制御部１５、第２表示部１６、及び駆動部１７を有する。
【００２３】
入力部１１（表示パネル４に相当）は、容器（タンク１）に補給された飲料の種類を入力する。
【００２４】
第１表示部１２（透過型ディスプレイ５に相当）は、容器内に補充された飲料を、タンク１外から視認可能に透過させるものであって、入力された飲料の種類に対応する内容量あたりのカロリー量と、容器の容量（タンク１のタンク容量）とに基づいて、飲料の内容量に応じたカロリー量を示す目盛り及びカロリー値を電子的に表示する。
【００２５】
記憶部１３（システムメモリに相当）は、飲料の種類毎に内容量あたりのカロリー量を予め記憶する。
【００２６】
検知部１４（計量センサー６に相当）は、容器に補給された飲料の内容量を検知する。
【００２７】
制御部１５（制御装置７に相当）は、飲料の種類に対応する内容量あたりのカロリー量と、検知部１４により検知された飲料の内容量とに基づいて、現在容器に補給されている飲料の総カロリー量を算出する。また制御部１５は、検知部１４により検知された飲料の内容量が増減変化した場合、変化前の飲料の総カロリー量と、変化後の飲料の総カロリー量との差分値を算出する。更に制御部１５は、入力部１１により注出口（蛇口３）から注出されるべき飲料のカロリー量が入力され、上記差分値が入力された当該カロリー量となった場合、注出口（蛇口３）を閉じる制御を実行する。
【００２８】
第２表示部１６（表示パネル４に相当）は、制御部１５により算出された飲料の総カロリー量や差分値を表示する。
【００２９】
駆動部１７は、注出口（蛇口３）を開閉する。
【００３０】
なお、各機能部は、ドリンクサーバー１０を構成するコンピュータのＣＰＵ、ＲＯＭ、ＲＡＭ等のハードウェア資源上で実行される制御プログラムによって実現されるものである。これらの機能部は、「手段」、「モジュール」、「ユニット」、又は「回路」に読替えてもよい。
【００３１】
図３は、本実施形態に係る飲料の種類毎のカロリー量情報の一例を示す。上述したように、記憶部１３（システムメモリに相当）には、飲料の種類毎に内容量あたりのカロリー量が予め記憶される。
【００３２】
図３（ａ）に示されるように、「飲料の種類」ＭＩＬＫ（牛乳）、ＣＯＦＦＥＥ（コーヒー）、ＴＥＡ（紅茶・お茶）、ＯＲＡＮＧＥ（オレンジジュース）、ＡＰＰＬＥ（アップルジュース）、ＷＡＴＥＲ（水）に対して、「１００ｍｌあたりのカロリー量（ｃａｌ）」がそれぞれ６７，８，１，４２，４４，０となっている。なお、カスタムには、利用者が新たな「飲料の種類」の内容量あたりのカロリー量の情報を更に追加・登録することが可能である。
【００３３】
一方、図３（ｂ）は、「飲料の種類」に対して、「１００ｃａｌあたりの内容量（ｍｌ）」としたものである。詳細は後述するが、１００ｃａｌ毎に電子カロリー目盛りを表示する場合、単位内容量間隔１００ｍｌの高さライン毎に、１００ｃａｌ間隔を示す電子カロリー目盛りを表示すればよい。
【００３４】
なお、図３（ａ）、（ｂ）は実質的に同義のため、少なくとも何れか一の情報が記憶されていればよい。
【００３５】
（利用例）
図４は、本実施形態に係る表示パネルの表示例を示す。レストランのスタッフ等はまずドリンクサーバー１０内に飲料を補給した後、表示パネル４を操作して、選択欄４１の中からドリンクサーバー１０内に補給された「飲料の種類」を入力する。選択欄４１は、例えば、ＭＩＬＫ（牛乳）、ＣＯＦＦＥＥ（コーヒー）、ＴＥＡ（紅茶・お茶）、ＯＲＡＮＧＥ（オレンジジュース）、ＡＰＰＬＥ（アップルジュース）、ＷＡＴＥＲ（水）の選択欄が設けられて表示されており、この中から一つ選択してタッチ入力することができる。
【００３６】
図５は、本実施形態に係る表示パネル及び透過型ディスプレイ５の表示例１を示す。
【００３７】
「飲料の種類」が入力された後、表示パネル４には、入力された「飲料の種類」４２、飲料の「総ｃａｌ量」４３、飲料の「総ｍｌ量」４４、注出された「注出ｃａｌ量」４５、注出ｃａｌ量の入力指定部４６が表示される。
【００３８】
レストランのスタッフ等がドリンクサーバー１０内に例えば１０００ｍｌのＭＩＬＫ（牛乳）を補給した場合には、計量センサー６により、ドリンクサーバー１０内に補給された飲料の内容量（ｍｌ）が検知されることで、飲料の「総ｍｌ量」４４に１０００ｍｌと表示される。
【００３９】
また、ドリンクサーバー１０内に補給された飲料の内容量（ｍｌ）に基づいて、飲料の「総ｃａｌ量」４３が計算の上、６７０ｃａｌと表示される。上述したように、システムメモリには「飲料の種類」毎に、内容量あたりのカロリー量（例えば１００ｍｌあたりのカロリー量）の情報が予め既知情報として格納されている（図３）。よって例えばＭＩＬＫ（牛乳）の場合、１００ｍｌあたり約６７ｃａｌであるので、飲料の「総ｍｌ量」４４が１０００ｍｌの場合、飲料の「総ｃａｌ量」４３は６７０ｃａｌと計算され表示される。実際図５に示されるように、透過型ディスプレイ５上、６７０ｃａｌを指し示す飲料が格納されていることが分かる。
【００４０】
また、注出された「注出ｃａｌ量」４５には、実際に蛇口３から前回注出された飲料のｃａｌ量が表示される。飲料の注出後は「総ｍｌ量」４４が注出分だけ減少する。よって注出前の「総ｍｌ量」４４と注出後の「総ｍｌ量」４４との差分量が実際に蛇口３から注出された注出ｍｌ量となり、当該注出ｍｌ量に基づいて、注出された「注出ｃａｌ量」４５を算出し表示することが可能である。これにより利用者はどの位のカロリー量の飲料をコップ等に注いだかを容易に特定できる。
【００４１】
注出ｃａｌ量の入力指定部４６には、利用者が蛇口３から注出したい分の飲料のｃａｌ量を指定することができる（図６）。例えば、カロリー制限等の理由により利用者が１００ｃａｌ分だけの飲料を注出したい場合、入力指定部４６に具体的なカロリー値として１００ｃａｌを指定する。その後、利用者が蛇口３を捻る等の開放操作を行うことで、ドリンクサーバー１０内の飲料が１００ｃａｌ分だけ注出される。蛇口３からの注出された飲料が指定された注出ｃａｌ量分に達すると、制御装置７の制御の下、蛇口３の自動注出停止機能が作動し、蛇口３からの飲料注出が停止される。これにより利用者はどの位のカロリー量の飲料をコップ等に注いだかを明確に特定できる。
【００４２】
なお、注出ｃａｌ量の入力指定部４６に指定がない場合には、蛇口３の自動注出停止機能作動しない。この場合、利用者は蛇口３を手動で開閉操作を行なって自ら飲料の注出量を調整する。
【００４３】
一方、透過型ディスプレイ５には、「飲料の種類」４２に応じた「電子カロリー表示目盛り」５１、「目盛り毎のカロリー値」５２が表示される。即ち、「電子カロリー表示目盛り」５１及び「目盛り毎のカロリー値」５２には、「飲料の種類」４２に応じて、内容量に対応したカロリー量を示す目盛りと、その目盛りが示すカロリー値が表示される。
【００４４】
例えば、「飲料の種類」４２が「ＭＩＬＫ」である場合、システムメモリから「ＭＩＬＫ」の内容量１００ｍｌあたりのカロリー量６７ｃａｌの情報が読み出される。また既知情報としてタンク１のタンク容量（ｍｌ）が１５００ｍｌであるものとする。そうすると、飲料「ＭＩＬＫ」の内容量１００ｍｌあたりのカロリー量６７ｃａｌの情報と、タンク１のタンク容量１５００ｍｌの情報とに基づいて、透過型ディスプレイ５上、「ＭＩＬＫ」１４９ｍｌの内容量間隔の高さライン毎に、１００ｃａｌ間隔を示す「電子カロリー目盛り」５２及び「目盛り毎のカロリー値」５２が表示されることになる。
【００４５】
なお、タンク１のタンク容量（最大容量（ｍｌ））は、ドリンクサーバー１０のサイズや型式により一意に決まる既知情報である。システムメモリ等に予め記憶されうる。また、透過型ディスプレイ５の「電子カロリー表示目盛り」５１及び「目盛り毎のカロリー値」５２については、電子表示のため、単位は１００ｃａｌ毎だけではなく、例えば１、１０、５０ｃａｌ毎といったように電子カロリー目盛り区間の表示切替えも任意に設定可能である。
【００４６】
図７は、本実施形態に係る表示パネル及び透過型ディスプレイ５の表示例２を示す。図５と比較すると、「飲料の種類」に「ＯＲＡＮＧＥ」（オレンジジュース）が入力されたケースを示している。
【００４７】
レストランのスタッフ等がドリンクサーバー１０内に図５の「ＭＩＬＫ」と同じ１０００ｍｌ分の「ＯＲＡＮＧＥ」を補給した場合、飲料の「総ｍｌ量」４４に１０００ｍｌと表示される。
【００４８】
また、ドリンクサーバー１０内に補給された飲料の内容量（ｍｌ）に基づいて、飲料の「総ｃａｌ量」４３が計算の上、４２０ｃａｌと表示される。「ＯＲＡＮＧＥ」の場合、１００ｍｌあたり約４２ｃａｌであるので、飲料の「総ｍｌ量」４４が１０００ｍｌの場合、飲料の「総ｃａｌ量」４３は４２０ｃａｌと計算され表示される。
【００４９】
更に、透過型ディスプレイ５を参照すると、透過型ディスプレイ５には、図５と同様に１００ｃａｌ単位毎に「電子カロリー目盛り」５１及び「目盛り毎のカロリー値」５２が表示されているが、「ＯＲＡＮＧＥ」の場合、内容量ｍｌでいえば１目盛り（１００ｃａｌ）あたり「ＯＲＡＮＧＥ」内容量２３８ｍｌに相当する。また、図５の「ＭＩＬＫ」のケースと比較すれば、１目盛り（１００ｃａｌ）あたりの目盛り間隔（高さライン間隔）が大きくなっていることが分かる。これは「ＯＲＡＮＧＥ」の方が「ＭＩＬＫ」よりもカロリーが低いためである。利用者からみれば同一カロリー量であれば「ＯＲＡＮＧＥ」の方が「ＭＩＬＫ」よりも沢山の量（ｍｌ）を飲料・摂取できるともいえる。
【００５０】
（カロリー目盛りの表示処理）
図８は、電子カロリー目盛りの表示処理を説明するフローチャートを示す。
【００５１】
Ｓ１：入力部１１は、タンク１に補給される飲料の種類が入力されたか否かを判定する。
【００５２】
Ｓ２：第１表示部１２は、システムメモリからＳ１で入力された飲料の種類に対応する内容量あたりのカロリー量の情報を取得する。
【００５３】
Ｓ３：第１表示部１２は、Ｓ２で取得した飲料の種類に対応する内容量あたりのカロリー量と、タンク１のタンク容量とに基づいて、飲料の内容量に応じたカロリー量を示す電子目盛り及びカロリー値を表示する。なお、第１表示部１２はタンク１のタンク容量を既知情報として予め保持しているか又はＳ２でシステムメモリから取得してもよい。
【００５４】
（総括）
以上、本実施形態に係るドリンクサーバー１０によれば、利用者（特にカロリー制限者）がドリンクサーバー１０から飲料をコップ等に注出する際、注いだ分の飲料の内容量が透過型ディスプレイ５から透過して視認でき、同時に電子カロリー目盛りによって注いだ分の飲料のカロリー量を容易に把握することが可能である。更に「注出ｃａｌ量」４５の値もしくは入力指定部４６により指定された注出ｃａｌ量により、注出される飲料のカロリー量を容易に計量・調整することが可能である。
【００５５】
これにより利用者がどの位のカロリー量の飲料をコップ等に注いだかを容易に特定できる。また、具体的なカロリー量を見ながら飲料を注出できるため、カロリーが高すぎるからこれ位でやめておこうといったようにカロリー制限を促す積極的な動機付けともなる。
【００５６】
即ち本実施形態によれば、注出される飲料物のカロリーを計量可能な飲料供給装置を提供することが可能である。
【００５７】
なお、本発明の好適な実施の形態により、特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【００５８】
本実施形態に係るドリンクサーバー１０は、様々な利用者が利用する例えばレストラン等において主に有用に活用されうる。また、本発明はドリンクサーバー１０のみならず、様々な種類の飲料が入れられるドリンクボトルや水筒などにも適用することが可能である。
【符号の説明】
【００５９】
１    タンク
２    補給口
３    蛇口
４    表示パネル
５    透過型ディスプレイ
６    計量センサー
７    制御装置
８    電源装置
１０  ドリンクサーバー
１１  入力部
１２  第１表示部
１３  記憶部
１４  検知部
１５  制御部
１６  第２表示部
１７  駆動部１７
【図１】
2020083383.tif 000003
【図２】
2020083383.tif 000004
【図３】
2020083383.tif 000005
【図４】
2020083383.tif 000006
【図５】
2020083383.tif 000007
【図６】
2020083383.tif 000008
【図７】
2020083383.tif 000009
【図８】
2020083383.tif 000010
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
飲料が補給される容器と、
前記容器に補給された補充飲料の種類を入力する入力手段と、
飲料の種類毎に内容量あたりのカロリー量を記憶した記憶手段と、
前記補充飲料の種類に対応する前記内容量あたりのカロリー量と、前記容器の容量とに基づいて、前記補充飲料の内容量に応じたカロリー量を表示する第１表示手段とを有し、
前記第１表示手段は、前記容器内に補充された補充飲料を、前記容器外から視認可能に透過させること、
を特徴とする飲料供給装置。
【請求項２】
前記第１表示手段は、前記補充飲料の内容量に応じたカロリー量を示す目盛り及びカロリー値を表示すること、
を特徴とする請求項１に記載の飲料供給装置。
【請求項３】
前記容器に補給された前記補充飲料の内容量を検知する検知手段と、
前記補充飲料の種類に対応する前記内容量あたりのカロリー量と、前記検知手段により検知された前記補充飲料の内容量とに基づいて、前記補充飲料の総カロリー量を算出する制御手段と、
前記補充飲料の総カロリー量を表示する第２表示手段と、
を有することを特徴とする請求項１又は２に記載の飲料供給装置。
【請求項４】
前記制御手段は、前記検知手段により検知された前記補充飲料の内容量が変化した場合、変化前の前記補充飲料の総カロリー量と、変化後の前記補充飲料の総カロリー量との差分値を算出し、
前記第２表示手段は、前記差分値を表示すること、
を特徴とする請求項３に記載の飲料供給装置。
【請求項５】
補充飲料が注出される注出口と、
前記注出口を開閉する駆動手段とを有し、
前記制御手段は、前記入力手段により前記注出口から注出される補充飲料のカロリー量が入力され、前記差分値が該カロリー量となった場合、前記注出口を閉じる制御を実行すること、
を特徴とする請求項４に記載の飲料供給装置。